【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
うつ伏せ枕の平面は、額側の底面からの高さを高く、顎側の底面からの高さを低く設けた斜めの平面とする、斜めの平面中央部には下部に設ける吸排気口と一体となり空間を作る平面吸排気口を設け、平面吸排気口の周囲端部全体から平面外側周囲端部全体には、万人の顔面に余裕を持って合う大きさの凹凸部を設けたうつ伏せ枕の平面。
【請求項２】
うつ伏せ枕の底面は、額側と顎側の中心に、載せた顔面を真下向きに維持する機能を持たせた平らな中心部を設け、その平らな中心部左右端部から底面左右外側端部まで載せた顔面を左右に傾けることの出来る機能を持たせた斜めの底面を設ける、平面吸排気口と一体となる吸排気口は二箇所、又は多数箇所設けることもできるのであるそのときには中心部と斜めの底面に持たせた二つの機能を失うことなく設けることが絶対の条件である、以上の特徴を持った底面と、請求項１に記載の平面とから成るうつ伏せ枕。
【請求項３】
ドーナツ形の布二枚を縫合した中の空間にクッション材を収めた枕カバーは、請求項１及び請求項２から成るうつ伏せ枕に敷き載せて使用することを特徴とした枕カバー。
【手続補正２】
【補正対象書類名】明細書
【補正対象項目名】全文
【補正方法】変更
【補正の内容】
【発明の詳細な説明】
【発明の名称】うつ伏せ枕及び枕カバー
【技術分野】
【０００１】  本発明は、うつ伏せに寝るとき顔面を載せて使用するうつ伏せ枕及び枕カバーに関するものである。
【背景技術】
【０００２】  従来には、例えば文献１に開示されているように、額部と顎部の二箇所に分離された所に顔面を載せて使用するうつ伏せ枕や、例えば文献２に開示されているように、額部と左右頬部の三箇所に分離された所に顔面を載せて使用するうつ伏せ枕があり、二つとも平面と底面が平行のうつ伏せ枕である。【０００３】  従来には、例えば文献３に開示されているように、馬蹄型のうつ伏せ枕を下部に設けた金具の台に取り付け、その金具の台には前後に動かす機能を持たせてあり、又金具の台は鉄棒材の骨組みで出来ており空間は広く設けられ呼吸のための吸排気口に問題はないが、顎部が載らない少し大型のうつ伏せ枕である。【０００４】  床などに置いて使用する馬蹄型のうつ伏せ枕は吸排気口が一箇所しか設けられず、顎部が載らない。【０００５】  従来のうつ伏せ枕にはクッション材の収まった枕カバーを使用することを謳ってあるものは一つもなかった。
【発明が解決しようとする課題】
【０００６】  例えば文献１に開示されているように、額部と顎部の二箇所に分離配置されたものや、例えば文献２に開示されているように、額部と左右頬部の三箇所に分離配置されたものは、口、鼻、目を除く顔面全体が載らないので載り当たる顔面部分と首部への負担が増すうえに、平面と底面が平行であり顔面が真下向きに向いたままで左右には向けないことで余計に顔面と首部への負担が増すのである、吸排気口も大きく設けることができず呼吸が蒸れやすく又困難になる。
【０００７】  床などに置き使用する馬蹄型のうつ伏せ枕は、顎部が枕に載らないので載せ当たる顔面部分には負担が生じる、載らない顎部の一箇所だけが吸排気口になるため呼吸が蒸れやすく又困難になる。
【０００８】  例えば文献３に開示されているように、下部の金具の台に取り付けた馬蹄型のうつ伏せ枕は吸排気口を大きく設けることができ呼吸に問題のない物である、しかし下部の金具の台により前後だけに枕を動かせる機能を持つが、左右には傾かせる機能はない、前後に動かすことは、顔面、頭部、首部の力が大変に必要になり何の効果もなく疲れるだけである、形も大きくなり持ち運びには向かない。
【０００９】  従来のうつ伏せ枕は、顔面が載り当たる部分は平らな物か少し膨らんだ物のどちらかであり、枕本体の中にクッション材を収めたものばかりである、顔面を載せたとき当たらない部分があり、さらに頭部の重みでクッション材が顔面の当たっている部分の凹凸を吸収し馴染ませて行くだけで、顔面と首部への負担が増す。
【００１０】  従来のうつ伏せ枕には顔面の凹凸に合わせた凹凸部を設けたものは一つもない、又載せた顔面を左右に傾けられるものも一つもない、持ち運びや携帯するのには少し大きなうつ伏せ枕ばかりである。
【００１１】  従来のうつ伏せ枕の枕カバーは、タオル又は布を敷き載せて使用するものか、使用することを謳っていない物ばかりである。
【００１２】
【特許文献１】  特開  平１０−１１７９０５号公報
【特許文献２】  特開  ２０００−１２６０１６号公報
【特許文献３】  特開  ２００４−８９６９７号公報
【課題を解決するための手段】
【００１３】  うつ伏せ枕の平面を額側２の底面からの高さを高くして顎側３の底面からの高さを低くした斜めの平面とする、その平面中央部に呼吸をするための平面吸排気口５を設け吸排気口６とつながり一体の空間を作る、その平面吸排気口５の周囲端部全体から平面外側周囲全体に、万人の顔面に合う余裕を持った大きさの凹凸部１を設けたうつ伏せ枕の平面とする。
【００１４】  前記平面に載せる顔面は額から両頬そして顎の顔面全体が載る大きさに設け、底面も同じ大きさに設け、出来る限り小形にまとめあげたうつ伏せ枕にする。
【００１５】  うつ伏せ枕の底面には、顔面を真下向きに維持する機能を持たせるための平らな面の中心部８を額側２と顎側３の底面中心に設け、中心部８の左右端部から底面左右外側端部まで顔を左右に傾ける機能を持たせた斜めの底面７を設け、底面に設ける吸排気口６は下部から上部途中へと切削された溝の空間を作り設ける、その吸排気口６は二箇所設ける、又は図８の他の実施例で示すように、八箇所の吸排気口６を設けるときには額側２と顎側３の中心に吸排気口６が設けられてしまうが、その吸排気口６の左右端角部の直線が顔面を真下向きに維持する機能を持たせた中心部８となる、このように多数の吸排気口を設けるときにも中心部８の機能と、顔面を左右に傾ける機能を持たせた斜めの底面７の、二つの機能を失わないで吸排気口６を設けた底面とする。
【００１６】  ドーナツ形二枚の布９を縫合した空間の中にクッション材１０を収めた裏表交代に使用できる枕カバー１１とする。
【発明の効果】
【００１７】  斜めの平面の凹凸部１にクッション材１０を収めた枕カバー１１を敷き載せて使用するのでフィット感とソフト感が得られ、さらに載せた顔面を真下向きから左右へと向きを選べるので顔面と首部への負担がなく疲れないで使用ができる、平面吸排気口５と吸排気口６が一体となって大きな空間を作り大きな吸排気口ができるので呼吸は問題なく行える、枕カバー１１は裏表交代に使用することが出来て丸洗いのできるものとする、いつでも清潔に使用できるのである、又、至上にコンパクトな形で作ることができるのでカバンなどに携帯もでき置き場所も取らないのでどこでも使用できる、仕事、家事、勉学の休み時間に仮眠をとるには、今までにない優れた機能を持った最適のうつぶせ枕である。
【発明を実施するための最良の形態】
【００１８】  載せた顔面と、顔面を支える首部にかかる負担を軽くするために、額側２の底面からの高さを高く設け、顎側３の底面からの高さを低く設け、側面から見て斜めの平面とする。【００１９】  斜めの平面の中央部には、吸排気口６と一体となる平面吸排気口５を設け、その平面吸排気口５の周囲端部全体から平面外側端部全体には、万人の顔面に合う余裕を持った大きさの凹凸部１を設ける、その凹凸部１は枕カバー１１を敷き載せて使用したときには優しいフィット感とソフト感が得られる凹凸部１に設ける。【００２０】  底面の額側２と顎側３の中心部８には載せた顔面を真下向きに維持させる機能を持たせた平らな面の中心部８と、その中心部８の左右端部から外側左右端部までに載せた顔面を左右に傾けられる機能を持たせた斜めの底面７を設けた底面とする。【００２１】  図８の実施例で示すように、底面には八箇所（又は多数箇所）の吸排気口６を設けることも出来る、多数箇所の吸排気口６を設けるときには、平面と底面の持つ機能を失わないことが絶対の条件である。【００２２】  平面と底面に設けられた機能を最大に生かせるもので、全体の形をできるだけコンパクトにまとめ上げたうつ伏せ枕とする。【００２３】  ドーナツ形の二枚の布９を縫合した空間の中にクッション材１０を収めた枕カバー１１は、平面の凹凸部１の上に敷き載せて使用するうつ伏せ枕専用の枕カバー１１である。
【実施例１】
【００２４】
【図面の簡単な説明】
【００２５】
【図１】  本発明の、うつ伏せ枕及び枕カバーの分離斜視図
【図２】  本発明の、図１のＡ−Ａ線とＢ−Ｂ線を示すうつ伏せ枕及び枕カバーの分離断面図
【図３】  本発明の、うつ伏せ枕の側面図
【図４】  本発明の、うつ伏せ枕の正面図
【図５】  本発明の、うつ伏せ枕及び枕カバーの平面図
【図６】  本発明の、うつ伏せ枕の底面図
【図７】  本発明の、うつ伏せ枕の背面図
【図８】  本発明において、うつ伏せ枕の底面に八箇所の吸排気口を設けた他の実施例を示す底面図
【図９】  本発明の、うつ伏せ枕に枕カバーを敷き載せて使用したときの状態を示す側面図
【符号の説明】
【００２６】１    凹凸部      ５    平面吸排気口      ９    布
２    額側        ６    吸排気口          １０  クッション材
３    顎側        ７    斜めの底面        １１  枕カバー
４    頬側        ８    中心部
【手続補正３】
【補正対象書類名】図面
【補正対象項目名】全図
【補正方法】変更
【補正の内容】
【図１】
2006334366.tif 000001
【図２】
2006334366.tif 000002
【図３】
2006334366.tif 000003
【図４】
2006334366.tif 000004
【図５】
2006334366.tif 000005
【図６】
2006334366.tif 000006
【図７】
2006334366.tif 000007
【図８】
2006334366.tif 000008
【図９】
2006334366.tif 000009